(57)【要約】【課題】非常に簡単に製造可能で、確実かつ容易に操作できる一方、スリーブ部分が望ましい遮水性を有し、使用状態では排泄物をパウチ内部へと移動させる通路が形成されるようにする。【解決手段】パウチ（１０）は、端部に袋口（１２Ａ）を有する可撓性袋（１２）を備え、可撓性袋（１２）の外側に突出するスリーブ（１８）の対向する二つの壁が袋口（１２Ａ）に固定されている。パウチ（１０）は、スリーブ（１８）の二つの壁が互いに重なる平坦状態と、二つの壁が袋口（１２Ａ）を開いた状態で保持して通路を形成する使用状態とを取る。スリーブ（１８）の第１壁（２０Ａ）が、袋口（１２Ａ）の端部から横方向に突出する第１長手方向端部帯（３０Ａ、１３０Ａ）を有する一方、スリーブ（１８）の第２壁が、パウチ（１０）が平坦状態から使用状態に移行する際に第１長手方向端部帯の内面に対してスライドするのに適したスライド端部（３２Ｂ）を有する。【選択図】図１
2015529111.tif 000002
【特許請求の範囲】
【請求項１】
端部に袋口（１２Ａ）を有する可撓性袋（１２）を備え、
前記可撓性袋の外側に突出するスリーブ（１８；１１８）の対向する二つの壁が前記袋口に固定されており、
前記二つの壁が互いに重なる平坦状態と、前記二つの壁が前記袋口を開いた状態で保持して通路を形成する使用状態とを取るように構成された、パウチ（１０）であって、
前記スリーブ（１８；１１８）における前記二つの壁のうちの第１壁（２０Ａ；１２０Ａ）は、前記袋口の端部から横方向に突出する第１長手方向端部帯（３０Ａ；１３０Ａ）を有し、
前記スリーブ（１８；１１８）における前記二つの壁のうちの第２壁（２０Ｂ；１２０Ｂ）は、前記パウチが前記平坦状態から前記使用状態に移行する際に前記第１長手方向端部帯の内面に対してスライドするのに適したスライド端部（３２Ｂ；１３２Ｂ）を有することを特徴とする、パウチ。
【請求項２】
前記前記スリーブ（１８；１１８）における前記第２壁（２０Ｂ；１２０Ｂ）が、前記袋口（１２Ａ）の端部から横方向に突出する第２長手方向端部帯（３０Ｂ；１３０Ｂ）を有し、
前記スライド端部（３２Ｂ；１３２Ｂ）が前記第２長手方向端部帯に形成されたことを特徴とする、請求項１に記載のパウチ。
【請求項３】
前記スライド端部（３２Ｂ；１３２Ｂ）が、少なくとも前記袋口（１２Ａ）に近い部分において、前記袋口から離れるにつれて前記第２壁の幅が大きくなる方向に傾斜していることを特徴とする、請求項２に記載のパウチ。
【請求項４】
前記第２壁（２０Ｂ；１２０Ｂ）が、前記スライド端部（３２Ｂ；１３２Ｂ）の基部に、外向きの横方向段部（３１Ｂ、１３１Ｂ）を有することを特徴とする、請求項１〜３のいずれかに記載のパウチ。
【請求項５】
前記二つの壁（２０Ａ、２０Ｂ;１２０Ａ、１２０Ｂ）が、前記第１長手方向端部帯（３０Ａ；１３０Ａ）及び前記スライド端部（３２Ｂ；１３２Ｂ）のそれぞれと反対側の長手方向端部において、互いに対して固定されていることを特徴とする、請求項１〜４のいずれかに記載のパウチ。
【請求項６】
前記スリーブ（１１８）における前記袋口（１２Ａ）から突出する高さが、前記スリーブの横方向端部の一方の近くで測定される最小高さ（ｈ１）と前記スリーブの横方向端部の他方の近くで測定される最大高さ（ｈ２）との間で、前記スリーブの幅方向に渡って変化することを特徴とする、請求項１〜５のいずれかに記載のパウチ。
【請求項７】
前記最大高さ（ｈ２）は、前記第１長手方向端部帯（１３０Ａ）及び前記スライド端部（１３２Ｂ）が位置する前記スリーブ（１１８）の前記横方向端部の近くで測定されることを特徴とする、請求項６に記載のパウチ。
【請求項８】
前記パウチが平坦状態にあるとき、前記スリーブ（１１８）の前記袋口（１２Ａ）と反対側の自由端（１１８Ｂ）がＳ字型であることを特徴とする、請求項６又は７に記載のパウチ。
【請求項９】
前記通路を形成する形状に前記二つの壁を保持する手段（３８、３９）をさらに備えたことを特徴とする、請求項１〜８のいずれかに記載のパウチ。
【請求項１０】
前記スリーブ（２１８）が、前記第１壁及び前記第２壁（２２０Ａ、２２０Ｂ）のそれぞれにおける前記パウチの前記袋口と反対側に設けられた、二つのホルダー舌部（２５０Ａ、２５０Ｂ）を有し、
前記二つのホルダー舌部（２５０Ａ、２５０Ｂ）が、遮断スロット（２５２Ａ、２５２Ｂ）によって前記第１壁及び前記第２壁のそれぞれから離隔された可動ヘッド（２５１Ａ、２５１Ｂ）を有することを特徴とする、請求項９に記載のパウチ。
【請求項１１】
前記スリーブ（１１８）が、前記可撓性袋の内部に配置される部分（１１８Ａ）を有し、
前記部分（１１８Ａ）は、前記二つの壁のそれぞれと連続する複数の展開タブ（１４０Ａ、１４０Ｂ）を有し、
前記複数の展開タブ（１４０Ａ、１４０Ｂ）は、前記パウチの前記使用状態において前記可撓性袋（１２）の対向する面を互いに離隔させるために互いに対して展開することに適した複数の横方向自由端（１４０’Ａ、１４０’Ｂ）を有することを特徴とする、請求項１〜１０のいずれかに記載のパウチ。
【請求項１２】
前記可撓性袋（１２）が、前記袋口（１２Ａ）から離れた箇所において、前記可撓性袋の内部に達する破れ目を形成することに適した脆弱線（１５Ａ）を有することを特徴とする、請求項１〜１１のいずれかに記載のパウチ。
【発明の詳細な説明】
【技術分野】
【０００１】
本発明は、可撓性袋を有するパウチに関する。本発明に係るパウチは、端部に袋口を有する可撓性袋を備え、可撓性袋の外側に突出するスリーブの対向する二つの壁が袋口に固定されており、当該二つの壁が互いに重なる平坦状態と、当該二つの壁が袋口を開いた状態で保持して通路を形成する使用状態とを取る。
【背景技術】
【０００２】
この種のパウチは、例えば特許文献１に記載されている。このようなパウチは、主に液状の物質（特に尿等の人間や動物の排泄物）を入れるために用いられる。パウチは平坦状態で保管される。使用時には、複数の壁が袋口を開いた状態で保持して通路を形成するようにスリーブを操作することで、パウチは使用状態となり、排泄物をパウチ内部に注ぎ入れることが可能となる。一旦排泄物が中に導入されると、スリーブを開放してパウチを平坦状態へ戻すことができる。
【０００３】
このようなパウチは、一般に、プラスチックその他の（場合によっては、透明で、十分な柔軟性を有する素材からなる）薄いシートによって構成される。パウチを開けるためのスリーブの操作は、スリーブの複数の壁を変形させて（パウチの外側から見て）凸型になるようにして、これらの壁によってその間に袋口を開いた状態で支える通路を形成する工程を含む。
【０００４】
袋口は、パウチの用途に適するような横断面寸法に設定される。一般的に、特にパウチが尿を入れる用途に用いられる場合、スリーブは片手のみで操作するのに適したものであることが要求され、その横断面寸法は、一般的にパウチの主要部の横断面寸法よりかなり小さい。
【０００５】
特許文献１は、スリーブが通路を形成する際に、可撓性袋の複数の壁が、袋口の端部においてだけでなく袋口の下流側でも互いに離隔して、パウチ内に導入された物質が逆流しないこと、即ち還流して溢れることのないことを確実にする、スリーブの操作に関する。この目的のため、特許文献１では、スリーブに複数の内部展開タブが設けられる。これにより、パウチの可撓性袋を作製する際の材料の選択の自由度が、非常に高くなる。特許文献１の主題を構成する本発明は、可撓性袋を形成する複数のシートが、当初は互いに対して多少粘着した状態であっても、また高い柔軟性を有していても、シートが互いに対して確実に離隔するようにするものである。
【先行技術文献】
【特許文献】
【０００６】
【特許文献１】欧州特許出願番号０８４７７４２
【発明の概要】
【発明が解決しようとする課題】
【０００７】
上記のような種類のパウチを作製するにあたってのもう一つの課題は、物質（特に尿等の排泄物）を可撓性袋の内部で効果的に移動させることである。パウチが男性用の尿パウチとして用いられる場合、使用者のペニスを、袋口から（スリーブによって形成される通路内で）十分に遠くまで挿入することには、一般的に特段の困難はない。同様に、いかなる排泄物収集用途であっても、袋口からパウチ内に十分な長さで挿入可能に突出した終端又は部材から排泄物を導入して、物質をパウチ内部まで移動させられるものであれば、特に困難は生じない。
【０００８】
一方、パウチを上記の用途とは別の用途に用いる場合、即ち、物質の流入元である部材が、スリーブによって形成される通路内で十分奥まで挿入することができないタイプのものである場合には、困難が生じる。例えば、パウチが女性用の尿パウチとして使用される場合である。このような場合、例えば尿のような物質は、可撓性袋の外側に突出したスリーブの端部からパウチに導入される。よって、可撓性袋の内部に到達するまでは、物質はスリーブの壁を伝って流れる。このことから、この壁は十分な遮水性を持っていなければならない。
【０００９】
これに対する明白な解決法の一つとして、閉じた外形を有するチューブによってスリーブを形成する。パウチを平坦状態にする場合には、スリーブをその長手方向に平行な二つの折り目に沿って平坦にし、平坦な状態のスリーブの、互いに対して対向する二つの壁の長手方向端部とする。しかしこの場合、スリーブを、当初は３次元形状であり次に平坦化されるように形成する必要があり、製造コストが増加する。スリーブを平坦状態から通路を形成する使用状態に変える際、平坦状態のスリーブの二つの対向する長手方向端部が、互いに対して押し付けられる。この圧力によって対向する二つの壁を変形させ互いに対して離隔させるには、これら二つの壁が当初から多少（外側から見て）凸型になっていることが望ましい。しかし、この構成は使用前にパウチを保管する際に障害となる。なぜなら、平坦状態のスリーブの壁がそれぞれある程度凸型になっているため、パウチは完全に平坦にならず、完全に平坦なパウチに比べて嵩張るからである。
【００１０】
スリーブを、対向する長手方向端部同士を閉じた外形を有するように溶着した、二つの平坦な壁部から構成することも考えられる。この場合、溶着作業が必要となり、製造コストが増加する。さらに、二つの平坦部をそれらの長手方向端部に沿って互いに溶着する場合、このように形成したスリーブの長手方向端部に圧力をかけてスリーブを使用状態にできる確率は、５０％にすぎない。かけられた圧力は、対向する二つの壁を凸型にして所望の通路を形成するか、壁の一つだけを凸型にする一方もう一つの壁を凹型にして凸型の壁に押し付けられたままにするか、どちらかに作用する。このような状況では通路が形成されず、片手での操作が難しい。
【００１１】
本発明は、非常に簡単に製造可能で、確実かつ容易に操作できる一方、スリーブ部分が望ましい遮水性を有し、使用状態では排泄物をパウチ内部へと移動させる通路が形成される、スリーブ付きパウチを提案することで、上記の問題に対処しようとするものである。
【課題を解決するための手段】
【００１２】
上記目的は、スリーブの第１壁が、袋口の端部から横方向に突出する第１長手方向端部帯を有する一方、スリーブの第２壁が、パウチが平坦状態から使用状態に移行する際に第１長手方向端部帯の内面に対してスライドするのに適したスライド端部を有することによって、達成される。
【００１３】
上記構成により、スリーブの長手方向端部が互いに対して押し付けられた場合、スリーブの第１壁は、第１長手方向端部帯が袋口の端部に対して横方向に突出していることから、確実に変形して凸型になる。スリーブの第１壁を凸型にすることで、スリーブの第２壁のスライド端部が、第１長手方向端部帯の凸型の内面をスライドする。これにより、第２壁が第１壁から離れ、これら二つの壁がその間に袋口を開いた状態で保持する所望の通路を形成する。さらに、スライド端部と第２壁との間のスライド接触により、排泄物がパウチ内に導入される間の遮水性が望ましい度合いで明確にもたらされ、排泄物が、スライド端部と第１長手方向端部帯とを有する通路の端部から漏れることが防止される。
【００１４】
本発明のパウチは多くの用途に利用可能である。スリーブに通路を形成させる操作が容易な点は、あらゆる用途において有用である。通路を通ってパウチに物質を入れることについてのよりよい方法は、パウチに挿入できない部材から物質を流入させる際に、特に有用である。さらに、本発明では部材をパウチに挿入する深さについて特に注意を払うことなく漏れを防止できることから、パウチに挿入可能な部材から物質を流入させる際にも有用である。
【００１５】
好適には、前記スリーブにおける前記第２壁が、前記袋口の端部から横方向に突出する第２長手方向端部帯を有し、前記スライド端部が前記第２長手方向端部帯に形成されている。
【００１６】
この場合、スリーブの反対側の長手方向端部への圧力によって第２壁が凸型になるように変形し、第２長手方向端部帯上に形成され第１長手方向端部帯の内面に対してスライドするスライド端部により、第２長手方向端部帯が第１壁に対してスライドできる。
【００１７】
一方、前記第１長手方向端部帯の少なくとも一部は、前記袋口の端部について前記第２長手方向端部帯を越えて突出することが好ましい。
【００１８】
好適には、前記スライド端部が、少なくとも前記袋口に近い部分において、前記袋口から離れるにつれて前記第２壁の幅が大きくなる方向に傾斜している。これにより、袋口に隣接するスライド端部の基部が袋口の端部と実質的に沿っていて当該端部に対して横向きに突出することがなく、スライド端部が軸方向に袋口から離れることで、袋口の端部から横向きに離れる。
【００１９】
当初平坦なスリーブを変形してその複数の壁を通路形状にしようとする場合、スリーブの対向する長手方向端部に、スリーブの基部付近、即ち可撓性袋の袋口の領域で、圧力をかける。スライド端部の傾きにより、圧力がスリーブを円錐型にして、スリーブを簡単に変形させることができる。
【００２０】
好適には、前記第２壁が、前記スライド端部の基部に、外向きの横方向段部を有する。
【００２１】
この上向きの横方向段部により、スライド端部の基部が、第１長手方向端部帯の基部に対して保持される。これにより、スリーブの変形の際、二つの壁が互いに対して歪むことを防止できる。よって、望ましいレベルの遮水性を確保できる可能性が高まる。さらに、以下に示すように、前記段部は物質をパウチ内部に導くことに役立つ。
【００２２】
好適には、前記二つの壁が、前記第１長手方向端部帯及び前記スライド端部のそれぞれと反対側の長手方向端部において、互いに対して固定されている。
【００２３】
特に、スリーブは、二つの壁の第１長手方向端部を形成する折り目で二つに折られる平坦な素材から形成されてもよい。
【００２４】
一方、前記第１長手方向端部帯と前記スライド端部とをスリーブの長手方向端部の両方に設けることに何ら問題はない。例えば、スリーブの第１壁が二つの対向する端部のそれぞれに第１長手方向帯を有し、スリーブの第２壁が二つの対向する端部のそれぞれにスライド端部（場合によっては第２長手方向端部帯）を有してもよい。また、第１壁が、一方の端部に第１長手方向帯を有し且つ他方の端部にスライド端部（第２長手方向端部帯に形成されてもよい）を有し、もう一方の壁も同じ構成を有してもよい。
【００２５】
好適には、前記スリーブにおける前記袋口から突出する高さが、前記スリーブの横方向端部の一方の近くで測定される最小高さと前記スリーブの横方向端部の他方の近くで測定される最大高さとの間で、前記スリーブの幅方向に渡って変化する。
【００２６】
この場合、好適には、前記最大高さは、前記第１長手方向端部帯及び前記スライド端部が位置する前記スリーブ（１１８）の前記横方向端部の近くで測定される。
【００２７】
本発明では、袋口から離隔したスリーブの自由端の形状の自由度が高い。この自由端は、例えばパウチが男性の尿瓶として用いられる際には、直線でもよい。他の用途では、例えばパウチが女性の尿瓶として用いられる際には、自由端は上記とは異なった形状を有してよい。例えば、スリーブの突出高さを変えることで、スリーブの自由端を女性の解剖学的構造に対応させることができる。この高さの変化は、スリーブが通路を形成する際、通路の自由端がパウチを使用する女性の外陰部に押し付けられるように、設定される。
【００２８】
好適には、本発明に係るパウチは、前記通路を形成する形状に前記二つの壁を保持する手段をさらに備えている。
【００２９】
例えば、前記スリーブが、前記第１壁及び前記第２壁のそれぞれにおける前記パウチの前記袋口と反対側に設けられた、二つのホルダー舌部を有し、前記二つのホルダー舌部が、遮断スロットによって前記第１壁及び前記第２壁のそれぞれから離隔された可動ヘッドを有する。
【００３０】
この単純な形状により、スリーブの壁が通路を形成する際、スリーブの第１壁に設けられたホルダー舌部を第２壁に設けられたホルダー舌部の内側に配置し、また逆に、第１壁に設けられた第１長手方向帯を第２壁の外側に配置することができる。これら二つの壁は、これによって互いに対して保持される。
【００３１】
好適には、前記スリーブが、前記可撓性袋の内部に配置される部分を有し、前記部分は、前記二つの壁のそれぞれと連続する複数の展開タブを有し、前記複数の展開タブは、前記パウチの前記使用状態において前記可撓性袋の対向する面を互いに離隔させるために互いに対して展開することに適した複数の横方向自由端を有する。
【００３２】
このような展開タブは特許文献１によって知られている。当該展開タブは本発明のものと互換性があり、可撓性袋を形成する、非常に柔軟性が高く当初は互いに対して粘着したシートの確実な展開を、上述した様々な利点と組み合わせたパウチを得ることができる。
【００３３】
また、好適には、前記可撓性袋が、前記袋口から離れた箇所において、前記可撓性袋の内部に達する破れ目を形成することに適した脆弱線を有する。
【００３４】
これにより、パウチを簡単な操作で空にすることができる。
【００３５】
本発明とその利点は、非限定的な例示によって提示される下記実施形態の詳細な説明によって、よりよく理解されるであろう。この説明は下記に示す添付の図面を参照する。
【図面の簡単な説明】
【００３６】
【図１】平坦状態にある本発明に係るパウチの正面図である。
【図２】図１のパウチのスリーブを作製する素材の平面図である。
【図３】図１のパウチが使用状態にあるときのスリーブの形状を示す透視図である。
【図４】女性の尿瓶用に特に構成された変形例における、パウチの袋口に近い部分を示す。
【図５】図４のパウチのスリーブを作製する素材の平面図である。
【図６】図４のパウチが使用状態にあるときのスリーブの形状を示す透視図である。
【図７】変形例のスリーブを作製する素材の平面図である。
【図８】通路を形成する形状を取る、図７の変形例のスリーブの斜視図である。
【００３７】
図１に示すように、本発明に係るパウチ１０は、可撓性袋１２を有する。可撓性袋１２はプラスチック素材でできた二つの薄いシートからなり、これらのシートを適切に切り抜いて、溶着線１４において輪郭の略全体で互いに溶着することで形成される。可撓性袋１２は、溶着線１４上の中断部からなる袋口１２Ａを有し、袋口１２Ａを介して可撓性袋１２の内部と外部とが連通している。
【００３８】
図１の例では、可撓性袋１２の幅が狭まる部分である首部１６の自由端に、袋口１２Ａが設けられている。
【００３９】
パウチ１０は、補強用のスリーブ１８を有する。スリーブ１８は、袋口１２Ａに固定され、可撓性袋１２の外側に突出している。
【００４０】
具体的には、スリーブ１８は、スリーブ１８の本体を形成し袋口１２Ａを越えて突出する主要部と、袋口１２Ａから可撓性袋１２の内部に挿入され袋口１２Ａの幅Ｌ全体にわたって延在する内側部１８Ａとを有する。
【００４１】
例えば、可撓性袋１２を形成するシートを柔軟性のあるプラスチック素材で作製する一方、スリーブ１８をより堅いプラスチック素材で作製する。これにより、スリーブ１８を可撓性袋１２に固定する作業において、可撓性袋１２の各シートをスリーブ１８の各壁に溶着又は接着することができる。図１には、二つの溶着線１９Ａ、１９Ｂが、排泄物がパウチに導入される方向である方向Ｄに対して横方向に延びていることが示されており、スリーブ１８の前壁２０Ａが、溶着線１９Ａ、１９Ｂに沿って可撓性袋１２の対応するシートに溶着されている。同様に、スリーブ１８の後壁２０Ｂは、パウチ１０の対向するシートに溶着されている。
【００４２】
図１に示すように、溶着線１４は、袋口１２Ａから離れた部分において、例えば微小穴のミシン目によってなる脆弱線１５Ａを有する。脆弱線１５Ａは、溶着線１４内のみで延在し、可撓性袋１２の内部空間には達しない。パウチ１０が排泄物で一杯になった場合、当該排泄物は、脆弱線１５Ａに沿って、破れ目を可撓性袋１２の内部空間に達するのに必要な力をかけることで、排出される。
【００４３】
さらに、溶着線１４は、袋口１２Ａに隣接する側部の一つにおいて、上記と同様に非連続な複数の穴からなる、脆弱線１５Ｂを有する。脆弱線１５Ｂは、可撓性袋１２の内部空間から離れており、脆弱線１５Ｂに沿って形成した裂け目が可撓性袋１２の内部空間に達しないような方向に設けられている。よって、排泄物で一杯になったパウチ１０を、空にする前に保管しておく必要がある場合、脆弱線１５Ｂに沿って裂け目を形成することで、フック等にかけておくことができる。
【００４４】
図１は、パウチ１０が特許文献１に記載の安全バルブを有することをさらに示す。当該安全バルブは、パウチ１０の壁のそれぞれと対向するように設けられた複数の内側シートからなる。図１の例において、安全バルブは、パウチ１０の二つの壁のそれぞれについて、袋口１２Ａからパウチ１０の中間部まで延びる第１シート対２２と、第１シート対２２の内部で延在する第２シート対２４と、第２シート対２４の内部で延在する第３シート対２６とを有する。シート２４はシート２２より短く、シート２６はシート２４より短い。これらのシートは、それぞれが位置する箇所においてパウチ１０の幅全体に延在し、互いに対して、且つ溶着線１４上で可撓性袋１２の壁に対して、溶着されている。シート対２４のシートはスポット溶着点２５において互いに対して溶着されており、シート対２６及びシート対２４のシートは、スポット溶着点２５に対してずれたスポット溶着点２７において互いに対して溶着されている。互いに対して適切に溶着されたこれら複数のシート対が、逆止弁を形成し、パウチ１０が使用され取り扱われる際に、パウチ１０内での排泄物の逆流を防ぐ。
【００４５】
脆弱線１５Ｂは、シートの各層が全て存在する溶着線の部分に存在する。溶着線のこの部分は特に強度が高く、上記のようにパウチ１０をかけておく用途に適している。
【００４６】
本発明に係るパウチ１０は、さらに具体的には、スリーブ１８に関する。上記のように、スリーブ１８は、袋口１２Ａを横切って、スリーブ１８の内側部１８Ａが袋口１２Ａの幅Ｌ全体にわたって延在するように、溶着されている。図１に示すように、以下で「第１」壁と称するスリーブの前壁２０Ａは、袋口１２Ａの端部から横方向に突出する第１長手方向端部帯３０Ａを有する。本発明において、長手方向は、パウチ１０に排泄物が導入される方向であり、スリーブ１８の軸方向である、方向Ｄを指す。横方向Ｄｌは、長手方向に垂直な方向である。図１に示すように、第１長手方向帯３０Ａは、袋口１２Ａの端部から幅ｌ分横方向に突出している。図２に示すように、スリーブの内側部１８Ａは、幅ｌを有する段部３１Ａにおいてスリーブ１８がパウチ１０内に設置されたときに袋口１２Ａから外側に突出するスリーブ１８の一部に対する内側部である。
【００４７】
このために、スリーブ１８の第２壁２０Ｂは、パウチ１０が平坦状態から使用状態に移行する際に、第１帯３０Ａの内面に対してスライドするのに適したスライド端部３２Ｂを有する。
【００４８】
図３は、これを理解しやすいように、スリーブ１８が通路を形成してパウチ１０を平坦状態から使用状態にしつつある状態を示している。スリーブ１８の形を変えるとき、ユーザは、図１に示すスリーブ基部のゾーンＺ１、Ｚ２に圧力をかける。この圧力によって、スリーブ１８の対向する長手方向端部が互いに対して近づき、スリーブ１８がそれぞれ曲がって、第１壁２０Ａが凸型になる一方、第１壁２０Ａの自由延長部を形成する長手方向端部帯は、第１壁２０Ａより少ない湾曲で凸型になる。ゾーンＺ１、Ｚ２にかけられた圧力により、第１壁２０Ａの内面は、自由端３２Ｂに対して反力をかける。これにより第１長手方向帯３０Ａが特定の形を取るため、スライド端部３２Ｂは、第１帯３０Ａの内面上をスライドして、第２壁２０Ｂを凸型にする。よって、二つの壁２０Ａ、２０Ｂの間に、パウチ１０の袋口１２Ａを開いた状態で保持する通路が設けられる。
【００４９】
具体的には、スライド端部３２Ｂは、スリーブ１８の第２壁２０Ｂの一部を形成し、袋口１２Ａの端部に対して横方向に突出する第２長手方向端部帯３０Ｂの端部上に形成されている。少なくとも一つの部分（segment：区分）に渡って、第２長手方向端部帯３０Ｂは、第１長手方向端部帯３０Ａよりも少ない度合いで横方向に突出する。具体的には、スライド端部３２Ｂが傾くに連れて、第２長手方向端部帯３０Ｂの横方向の突出量が変化する。横方向の突出の最大値は、本例では一定である第１帯３０Ａの幅ｌに対応する。
【００５０】
第２壁２０Ｂは、特に図２に示すように、スライド端部３２Ｂの基部、つまりスライド端部３２Ｂにおけるパウチ１０の袋口１２Ａに最も近い部分に設けられた、外向きの横方向段部３１Ｂを有する。横方向段部３１Ｂは、非常に狭い幅ｅを有する。この幅ｅは、例えば幅ｌの５％〜２０％程度、好ましくは１０％程度である。よって、パウチ１０が人間の尿瓶として用いられる場合、幅ｅ及び幅ｌは、それぞれ、１ミリ（ｍｍ）〜２ｍｍ及び８ｍｍ〜１５ｍｍである。
【００５１】
図２及び図３に示すように、二つの壁２０Ａ、２０Ｂは、第１長手方向帯３０Ａ及びスライド端部３２Ｂのそれぞれと対向する長手方向端部によって、互いに対して固定される。図示の例において、スリーブ１８はプラスチック製の素材からなり、折り目３４に沿って折り曲げられて、図１に示す状態ではスリーブ１８が平坦である。折り目３４は、互いに対して連結された壁２０Ａ、２０Ｂの共通の長手方向端部を形成する。スリーブ１８は二つの平坦部、例えば、共通線で溶着して折り目３４を形成した、二つの独立した素材からなってもよい。
【００５２】
よって、本発明では、スリーブの線３４を挟んで対向する端部、即ち、第１長手方向端部帯３０Ａ及びスライド端部３０Ｂがそれぞれ設けられた端部は、互いに対して自由に移動可能である。これは、スリーブ１８における袋口１２Ａから突出した部分の全てに当てはまる。スリーブ１８の内側部１８Ａに関しては、上記のように、平坦状態における内側部１８Ａの幅Ｌは、袋口１２Ａの幅に対応する。よって、内側部１８Ａにおける端部３５Ａ、３５Ｂは、溶着線１４の存在により、互いに対して移動することができない又は実質的にできない。袋口１２Ａの側部において、溶着線１４は、スリーブ１８に（即ち、スリーブ１８の内側部１８Ａ及び端部３５Ａ、３５Ｂ上で延びる折り目３４の部分に）多少入り込んで（encroach）いてもよい。
【００５３】
図１〜図３に示す例では、袋口１２Ａから突出するスリーブ１８の高さは略一定である。当然ながら、スリーブ１８の上端部１８Ｂを、必要に応じて多少滑らかにしてもよい。よって、面取りを行うか、笹縁（bead）１８Ｂ’を設けてもよい。
【００５４】
図４〜図６を参照して、スリーブの変形例を記載する。図４は、パウチ１０の袋口１２Ａに近い位置のみを示す。スリーブ１１８は、下記二つの点を除いて上記のスリーブ１８と同一である。第一に、スリーブ１１８の袋口１２Ａから離れた自由端１１８Ｂは、女性の尿瓶用に特に適した特定の形状を有している。ここで、当該自由端には、肌触りがよいように笹縁等１１８Ｂ’が設けられてもよい。さらに、スリーブ１１８の内側部１１８Ａには、後述の展開タブが設けられている。
【００５５】
図４〜図６において、スリーブ１１８を構成する各部材には、スリーブ１８の対応する部材の番号に１００を足した番号を付けている。図４〜図６に示すように、スリーブ１１８は、折り目１３４で互いに対して接続された第１壁１２０Ａ及び第２壁１２０Ｂを有する。第１壁１２０Ａは、第１長手方向端部帯１３０Ａを有する。一方、第２壁１２０Ｂは、第２長手方向帯１３０Ｂの端部に設けられたスライド端部１３２Ｂを有する。図４に示すように、二つの長手方向端部帯１２０Ａ、１２０Ｂは、袋口１２Ａから横向きに突出している（即ち、溶着線１４間の袋口１２Ａの横方向端部に対して、横向きに突出している）。第１長手方向端部帯１３０Ａは、溶着線１４に沿って設けられており、溶着線１４と略同じ幅を有する。第２長手方向端部帯１３０Ｂは、溶着線１４の幅ｌ１４に対応した、略一定の幅の自由端部１３０Ｂ’を有する。第２長手方向端部帯１３０Ｂは、袋口１２Ａの端部と自由端１３０Ｂ’との間に、スライド端部３２Ｂと同様に傾斜して、第１長手方向端部帯１３０Ａの内面でスライドしやすく構成された、スライド端部１３２Ｂを有する。上記の段部３１Ａ、３１Ｂとそれぞれ同じ段部１３１Ａ、１３１Ｂは、帯１３０Ａ、１３０Ｂの基部に設けられている。
【００５６】
上述の図面の変形例として、図４〜図６に示す変形例では、スリーブ１１８が折り曲げられた素材から形成される。二つの壁１２０Ａ、１２０Ｂは、折り目１３４で互いに接続されている。図４に示すように、スリーブ１１８における袋口１２Ａから突出する高さは、スリーブ１１８の横方向端部の一方の近くで測定される最小高さｈ１とスリーブ１１８の横方向端部の他方の近くで測定される最大高さｈ２との間で、スリーブ１１８の幅方向に変化している。具体的には、最大高さｈ２は、第１長手方向端部帯１３０Ａとスライド端部１３２Ｂとが位置する、スリーブ１１８の横方向端部近辺で測定される。
【００５７】
図４に示すように、パウチ１０が平坦状態にあるとき、袋口１２Ａと反対側のスリーブ１１８の自由端１１８Ｂは略Ｓ字型となり、中央部Ｃが上昇する傾斜路状になる一方、Ｓ１、Ｓ２で表される二つの終末部は多少丸まっている。この形状は、女性用の尿瓶にパウチ１０が用いられる際に特に採用される。パウチ１０の使用時には、スリーブ１１８を変形させて通路を形成し、スリーブ１１８を、部分Ｓ２に対応する短い方の部分が外陰部の後部に位置するように、配置する。
【００５８】
図４〜図６の変形例において、スリーブ１１８は複数の展開タブを有する。より正確には、スリーブ１１８における可撓性袋１２の内部に配置される部分１１８Ａが、展開タブ１４０Ａ、１４０Ｂを有する。展開タブ１４０Ａ、１４０Ｂは、スリーブ１１８の二つの壁それぞれの延長として形成され、パウチ１０の使用状態において互いに対して展開して可撓性袋１２の対向する面を互いに離隔させる、横方向自由端１４０’Ａ、１４０’Ｂをそれぞれ有する。この点は特許文献１に記載されており、図６から理解できる。
【００５９】
本発明に係るパウチ１０は、その利点として、スリーブの複数の壁を、通路を形成する形状に保持する手段を有している。このために、例えば、図２に記載の切り欠き３８と同種の切り欠きをスリーブに形成する。この切り欠きは、折り目に対して対称であり、スマイリーフェイスの口のような形状を有する。よって、切り欠きの上には、スリーブの内側又は外側に折りたたまれて、折り目にスリーブの平坦化に抗する切れ目を形成する、ホルダー舌部３９が設けられている。
【００６０】
図７及び図８を参照して、スリーブの壁を通路形成形状に保持する手段を有する、別の実施形態のスリーブについて説明する。
【００６１】
図７及び図８の各部材には、図４〜図６の対応する部材の番号に１００を足した番号を付けている。図７及び図８に示すスリーブ２１８は、スリーブ１１８と同様に、二つの壁２２０Ａ、２２０Ｂと、長手方向帯２３０Ａ、２３０Ｂと、スライド端部２３２Ｂと、横方向段部２３１Ａ、２３１Ｂと、展開タブ２４０Ａ、２４０Ｂとを有する。
【００６２】
しかし、スリーブ２１８は、第１壁２２０Ａと第２壁２２０Ｂとにそれぞれ設けられたホルダー舌部２５０Ａ、２５０Ｂを有する点で、スリーブ１１８と相違する。ホルダー舌部２５０Ａ、２５０Ｂは、それぞれ、壁２２０Ａ、２２０Ｂに設けられており、遮断スロット２５２Ａ、２５２Ｂによって壁２２０Ａ、２２０Ｂのそれぞれから離隔された可動ヘッド２５１Ａ、２５１Ｂを有する。遮断スロット２５２Ａ、２５２Ｂは略横方向に延在しており、ホルダー舌部２５０Ａの可動ヘッド２５２Ａが、第１長手方向帯２３０Ａから離れる方向に延び、ホルダー舌部２５０Ｂの可動ヘッド２５２Ｂが、スライド端部２３２Ｂから離隔する方向に延びている。
【００６３】
特に、ホルダー舌部２５０Ａの第１壁２２０Ａに取り付けられた部分は、第１長手方向帯２３０Ａに沿って略長手方向に延在している一方、ホルダー舌部２５０Ｂの第２壁２２０Ｂに取り付けられた部分は、第２長手方向帯２３０Ｂに沿って略長手方向に延在している。
【００６４】
図８に示すように、スリーブ２１８が通路形状を取る場合、スロット２５２Ａ、２５２Ｂは互いに対して係合してもよい。上記のように、スリーブ２１８を通路形状にする際、スライド端部２３２Ｂは第１長手方向帯２３０Ａの内面に対してスライドする。よって、全ての実施形態と同様に、第２壁２２０Ｂのスライド端部２３３２Ｂと隣り合う部分（即ち第２長手方向帯３０Ｂ、１３０Ｂ、又は２３０Ｂ）は、スリーブ２１８が通路形状を取る場合、スリーブ２１８の第１壁２２０Ａの内側に位置する。
【００６５】
スロット２５２Ａ、２５２Ｂが互いに貫き合うため、ホルダー舌部２５０Ａ及びホルダー舌部２５０Ｂは上記とは逆の構成となる。即ち、第１壁２２０Ａのホルダー舌部２５０Ａが、第２壁２２０Ｂのホルダー舌部２５０Ｂの内側に位置する。このように、各ホルダー舌部２５０Ａ、２５０Ｂはもう一方のホルダー舌部のスロットによって保持される。これにより、上記複数のホルダー舌部２５０Ａ、２５０Ｂが、図８で矢印Ｆが示す方向に互いから離れることが防止され、スリーブ２１８は通路形状を確実に維持する。
【００６６】
ホルダー舌部２５０Ａ、２５０Ｂをこのように協働させることは、非常に容易である。スリーブ２１８を通路形状にした後、ホルダー舌部２５０Ａ、２５０Ｂを二本の指で支えて、ホルダー舌部２５０Ｂがホルダー舌部２５０Ａの後ろに回るまでこれらホルダー舌部２５０Ａ、２５０Ｂを互いに対してスライドさせる。
【００６７】
図８に示すように、これらの重ねられたホルダー舌部２５０Ａ、２５０Ｂは、パウチ１０の使用時、特に尿瓶として用いられる場合の排尿の際に、スリーブ２１８を適切な位置で保持するためにユーザがつまむ握り面となる。
【００６８】
当然のことながら、ホルダー舌部２５０Ａ、２５０Ｂは、切り欠き３８と置き換えることで、図１〜図３の実施形態の変形例でも利用可能である。
【００６９】
いずれの変形例においても、本発明に係るパウチ１０のスリーブは、平坦状態から通路形成形状（使用状態）に簡単に移行可能であるという特徴を有する。さらに、スライド端部が第１長手方向端部帯に対して自由にスライド可能なように、この部分ではスリーブが溶着されていないにもかかわらず、このスライドによる協働によって遮水性が付与される。スライド端部は、先ず、第１壁を長手方向に越えて第１壁の内面に接し、これによって接触部全体にわたって望まない漏出が防止される。次に、スライド端部の基部に設けられた段部３１Ｂ又は１３１Ｂが、端部に沿って流れる液体を壁２０Ｂの内面、即ちパウチ１０の内部へと導く。図面では、袋口１２Ａの上端部と長手方向端部帯又はスライド端部の基部（即ち段部３１Ａ、３１Ｂ又は１３１Ａ、１３１Ｂの基部）との間の距離ｄは、ある程度誇張されて描かれている。特に、溶着線１１９Ａは、実際には、これら基部に略届く程度に延びている。このように、液体がスライド端部３２Ｂに達するとき、当該液体は事実上可撓性袋の中にある。
【００７０】
同様に、スリーブが通路形状を取るとき、スリーブの内側部（端部３５Ａ、３５Ｂ又は１３５Ａ、１３５Ｂ）の長手方向端部は互いに対して接触し、遮水効果が得られる。これらの端部は、便宜上図３及び図５では互いに対して離隔して描かれている。
【図１】
2015529111.tif 000003
【図２】
2015529111.tif 000004
【図３】
2015529111.tif 000005
【図４】
2015529111.tif 000006
【図５】
2015529111.tif 000007
【図６】
2015529111.tif 000008
【図７】
2015529111.tif 000009
【図８】
2015529111.tif 000010
【手続補正書】
【提出日】平成27年5月8日(2015.5.8)
【手続補正１】
【補正対象書類名】明細書
【補正対象項目名】００６２
【補正方法】変更
【補正の内容】
【００６２】
しかし、スリーブ２１８は、第１壁２２０Ａと第２壁２２０Ｂとにそれぞれ設けられたホルダー舌部２５０Ａ、２５０Ｂを有する点で、スリーブ１１８と相違する。ホルダー舌部２５０Ａ、２５０Ｂは、それぞれ、壁２２０Ａ、２２０Ｂに設けられており、遮断スロット２５２Ａ、２５２Ｂによって壁２２０Ａ、２２０Ｂのそれぞれから離隔された可動ヘッド２５１Ａ、２５１Ｂを有する。遮断スロット２５２Ａ、２５２Ｂは略横方向に延在しており、ホルダー舌部２５０Ａの可動ヘッド２５１Ａが、第１長手方向帯２３０Ａから離れる方向に延び、ホルダー舌部２５０Ｂの可動ヘッド２５１Ｂが、スライド端部２３２Ｂから離隔する方向に延びている。
【国際調査報告】
2015529111.tif 000011
2015529111.tif 000012
2015529111.tif 000013
2015529111.tif 000014